(57)【要約】      （修正有）【課題】電力の供給側と需要側とで適切な給電を行う管理サーバ、電力供給システム、電力供給方法およびプログラムを提供する。【解決手段】電力供給システムにおいて、管理サーバ１００が、電力需要システム２００−１〜２００−３それぞれの電力需要条件を第１の識別情報と対応付けてデータベースに記憶し、電気自動車３００−１〜３００−３それぞれの電力供給条件を第２の識別情報と対応付けてデータベースに記憶し、電力需要システム２００−１〜２００−３の停電を検知した場合、停電が検知された電力需要システム２００−１〜２００−３の電力需要条件を満たす電力供給条件と対応付けられた第２の識別情報を、データベースから検索して取得し、取得した第２の識別情報が付与された電気自動車３００−１〜３００−３を管理する通信端末３１０−１〜３１０−３へ、所定の通知を行う。【選択図】図１
2020161030.tif 000002
【特許請求の範囲】
【請求項１】
複数の第１の電力使用システムそれぞれの電力需要条件を該複数の第１の電力使用システムに付与された第１の識別情報と対応付けて記憶し、複数の第２の電力使用システムそれぞれの電力供給条件を該複数の第２の電力使用システムに付与された第２の識別情報と対応付けて記憶するデータベースと、
前記複数の第１の電力使用システムそれぞれの停電を検知する検知部と、
前記検知部が前記第１の電力使用システムの停電を検知した場合、前記データベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する検索部と、
前記検索部が取得した前記第２の識別情報が付与された前記第２の電力使用システムを管理する第２の通信端末へ、所定の通知を行う通知部とを有する管理サーバ。
【請求項２】
請求項１に記載の管理サーバにおいて、
前記検索部は、前記停電が検知された前記第１の電力使用システムの前記電力需要条件に含まれる必要電力量と、前記データベースに記憶されている前記電力供給条件に含まれる供給可能電力量とを比較し、前記必要電力量を満たす前記供給可能電力量と対応付けられた前記第２の識別情報を前記データベースから検索して取得し、該取得した第２の識別情報と対応付けられた、前記電力供給条件に含まれる前記第２の電力使用システムの第２の存在位置と、前記停電が検知された前記第１の電力使用システムの前記電力需要条件に含まれる前記第１の電力使用システムの第１の存在位置とに基づいて、前記通知部が通知を行う前記第２の通信端末が管理する前記第２の電力使用システムの前記第２の識別情報を検索して取得する管理サーバ。
【請求項３】
請求項２に記載の管理サーバにおいて、
前記検索部は、前記第１の存在位置に最も近い距離の前記第２の存在位置と対応付けられた前記第２の識別情報を検索して取得する管理サーバ。
【請求項４】
請求項１に記載の管理サーバにおいて、
前記データベースは、複数の発電システムの第３の存在位置を記憶し、
前記検索部は、前記電力供給条件に含まれる前記第２の電力使用システムの第２の存在位置と、前記停電が検知された前記第１の電力使用システムに付与された前記第１の識別情報と対応付けられた前記電力需要条件に含まれる前記第１の電力使用システムの第１の存在位置とに基づいて、前記通知部が通知を行う前記第２の通信端末が管理する前記第２の電力使用システムの前記第２の識別情報を検索して取得し、前記第２の存在位置と前記第３の存在位置とに基づいて、前記検索した前記第２の識別情報が付与された前記第２の電力使用システムが充電を行う前記発電システムを検索し、
前通知部は、前記所定の通知に加えて、前記検索した発電システムを通知する管理サーバ。
【請求項５】
請求項４に記載の管理サーバにおいて、
前記検索部は、前記第２の存在位置の最も近い距離の前記第３の存在位置の前記発電システムを検索する管理サーバ。
【請求項６】
請求項１から５のいずれか１項に記載の管理サーバにおいて、
前記通知部は、前記停電が検知された第１の電力使用システムへ電力を供給するための指示を、前記検索部が取得した前記第２の識別情報が付与された前記第２の電力使用システムを管理する第２の通信端末へ行う管理サーバ。
【請求項７】
請求項１から６のいずれか１項に記載の管理サーバにおいて、
前記検知部は、前記複数の第１の電力使用システムそれぞれから受信する所定の信号に基づいて、該複数の第１の電力使用システムそれぞれの停電を検知する管理サーバ。
【請求項８】
複数の第１の電力使用システムをそれぞれ管理する複数の第１の通信端末と、
複数の第２の電力使用システムをそれぞれ管理する複数の第２の通信端末と、
前記複数の第１の通信端末および前記複数の第２の通信端末との間で通信が可能な管理サーバとを有し、
前記管理サーバは、
前記複数の第１の電力使用システムそれぞれの電力需要条件を該複数の第１の電力使用システムに付与された第１の識別情報と対応付けて記憶し、前記複数の第２の電力使用システムそれぞれの電力供給条件を該複数の第２の電力使用システムに付与された第２の識別情報と対応付けて記憶するデータベースと、
前記複数の第１の電力使用システムそれぞれの停電を検知する検知部と、
前記検知部が前記第１の電力使用システムの停電を検知した場合、前記データベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する検索部と、
前記検索部が取得した前記第２の識別情報が付与された前記第２の通信端末へ、所定の通知を行う通知部とを有する電力供給システム。
【請求項９】
請求項８に記載の電力供給システムにおいて、
前記第２の電力使用システムは、移動可能な車両に搭載されている電力供給システム。
【請求項１０】
請求項９に記載の電力供給システムにおいて、
前記第２の通信端末は、前記車両に搭載されたカーナビゲーション装置である電力供給システム。
【請求項１１】
複数の第１の電力使用システムそれぞれの停電を検知する処理と、
前記第１の電力使用システムの停電を検知した場合、前記複数の第１の電力使用システムそれぞれの電力需要条件を該複数の第１の電力使用システムに付与された第１の識別情報と対応付けて記憶し、複数の第２の電力使用システムそれぞれの電力供給条件を該複数の第２の電力使用システムに付与された第２の識別情報と対応付けて記憶するデータベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する処理と、
前記取得した前記第２の識別情報が付与された前記第２の電力使用システムを管理する第２の通信端末へ、所定の通知を行う処理とを行う電力供給方法。
【請求項１２】
コンピュータに、
複数の第１の電力使用システムそれぞれの停電を検知する手順と、
前記第１の電力使用システムの停電を検知した場合、前記複数の第１の電力使用システムそれぞれの電力需要条件を該複数の第１の電力使用システムに付与された第１の識別情報と対応付けて記憶し、複数の第２の電力使用システムそれぞれの電力供給条件を該複数の第２の電力使用システムに付与された第２の識別情報と対応付けて記憶するデータベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する手順と、
前記取得した前記第２の識別情報が付与された前記第２の電力使用システムを管理する第２の通信端末へ、所定の通知を行う手順とを実行させるためのプログラム。
【発明の詳細な説明】
【技術分野】
【０００１】
本発明は、管理サーバ、電力供給システム、電力供給方法およびプログラムに関する。
【背景技術】
【０００２】
近年、停電が発生した場合に電力を必要としている負荷に対して電気自動車から給電を行う電力供給システムが考えられている（例えば、特許文献１参照。）。
【先行技術文献】
【特許文献】
【０００３】
【特許文献１】特開２０１８−１８２９２５号公報
【発明の概要】
【発明が解決しようとする課題】
【０００４】
特許文献１に記載されたようなシステムにおいては、電力が必要となっている負荷に対して電力を供給する電気自動車の選定方法については言及されていない。そのため、適切な給電を行うことができないおそれがある。
【０００５】
本発明の目的は、電力の供給側と需要側とで適切な給電を行うことができる管理サーバ、電力供給システム、電力供給方法およびプログラムを提供することにある。
【課題を解決するための手段】
【０００６】
本発明の管理サーバは、
複数の第１の電力使用システムそれぞれの電力需要条件を該複数の第１の電力使用システムに付与された第１の識別情報と対応付けて記憶し、複数の第２の電力使用システムそれぞれの電力供給条件を該複数の第２の電力使用システムに付与された第２の識別情報と対応付けて記憶するデータベースと、
前記複数の第１の電力使用システムそれぞれの停電を検知する検知部と、
前記検知部が前記第１の電力使用システムの停電を検知した場合、前記データベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する検索部と、
前記検索部が取得した前記第２の識別情報が付与された前記第２の電力使用システムを管理する第２の通信端末へ、所定の通知を行う通知部とを有する。
【０００７】
また、本発明の電力供給システムは、
複数の第１の電力使用システムをそれぞれ管理する複数の第１の通信端末と、
複数の第２の電力使用システムをそれぞれ管理する複数の第２の通信端末と、
前記複数の第１の通信端末および前記複数の第２の通信端末との間で通信が可能な管理サーバとを有し、
前記管理サーバは、
前記複数の第１の電力使用システムそれぞれの電力需要条件を該複数の第１の電力使用システムに付与された第１の識別情報と対応付けて記憶し、前記複数の第２の電力使用システムそれぞれの電力供給条件を該複数の第２の電力使用システムに付与された第２の識別情報と対応付けて記憶するデータベースと、
前記複数の第１の電力使用システムそれぞれの停電を検知する検知部と、
前記検知部が前記第１の電力使用システムの停電を検知した場合、前記データベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する検索部と、
前記検索部が取得した前記第２の識別情報が付与された前記第２の通信端末へ、所定の通知を行う通知部とを有する。
【０００８】
また、本発明の電力供給方法は、
複数の第１の電力使用システムそれぞれの停電を検知する処理と、
前記第１の電力使用システムの停電を検知した場合、前記複数の第１の電力使用システムそれぞれの電力需要条件を該複数の第１の電力使用システムに付与された第１の識別情報と対応付けて記憶し、複数の第２の電力使用システムそれぞれの電力供給条件を該複数の第２の電力使用システムに付与された第２の識別情報と対応付けて記憶するデータベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する処理と、
前記取得した前記第２の識別情報が付与された前記第２の電力使用システムを管理する第２の通信端末へ、所定の通知を行う処理とを行う。
【０００９】
また、本発明のプログラムは、
コンピュータに実行させるプログラムであって、
複数の第１の電力使用システムそれぞれの停電を検知する手順と、
前記第１の電力使用システムの停電を検知した場合、前記複数の第１の電力使用システムそれぞれの電力需要条件を該複数の第１の電力使用システムに付与された第１の識別情報と対応付けて記憶し、複数の第２の電力使用システムそれぞれの電力供給条件を該複数の第２の電力使用システムに付与された第２の識別情報と対応付けて記憶するデータベースに記憶されている、前記停電が検知された前記第１の電力使用システムに付与された前記第１の識別情報と対応付けられた電力需要条件を満たす電力供給条件と対応付けられた前記第２の識別情報を、前記データベースから検索して取得する手順と、
前記取得した前記第２の識別情報が付与された前記第２の電力使用システムを管理する第２の通信端末へ、所定の通知を行う手順とを実行させる。
【発明の効果】
【００１０】
本発明においては、電力の供給側と需要側とで適切な給電を行うことができる。
【図面の簡単な説明】
【００１１】
【図１】本発明の電力供給システムの第１の実施の形態を示す図である。
【図２】図１に示した管理サーバの内部構成の一例を示す図である。
【図３】図２に示したデータベースが記憶している、複数の電力需要条件の一例を示す図である。
【図４】図２に示したデータベースが記憶している、複数の電力供給条件の一例を示す図である。
【図５】図１に示した電力需要者の通信端末に表示された、電力需要条件の登録画面の一例を示す図である。
【図６】図１に示した電力供給者の通信端末に表示された、電力供給条件の登録画面の一例を示す図である。
【図７】図１に示した電力供給システムにおける電力供給方法の一例を説明するためのフローチャートである。
【図８】通知を受けた通信端末の画面表示の一例を示す図である。
【図９】本発明の電力供給システムの第２の実施の形態を示す図である。
【図１０】図９に示した管理サーバの内部構成の一例を示す図である。
【図１１】図１０に示したデータベースが記憶している、発電システムの存在位置の一例を示す図である。
【図１２】図９に示した電力供給システムにおける電力供給方法の一例を説明するためのフローチャートである。
【発明を実施するための形態】
【００１２】
以下に、本発明の実施の形態について図面を参照して説明する。
(第１の実施の形態)
【００１３】
図１は、本発明の電力供給システムの第１の実施の形態を示す図である。本形態における電力供給システムは図１に示すように、管理サーバ１００と、電力需要システム２００−１〜２００−３と、通信端末２１０−１〜２１０−３，３１０−１〜３１０−３と、電気自動車３００−１〜３００−３とを有する。なお、図１には、電力需要システム２００−１〜２００−３、通信端末２１０−１〜２１０−３、電気自動車３００−１〜３００−３および通信端末３１０−１〜３１０−３がそれぞれ３つである場合を例に挙げて示しているが、その数に限定しない。また、管理サーバ１００と、通信端末２１０−１〜２１０−３，３１０−１〜３１０−３とが互いに通信可能に、通信ネットワーク４００を介して接続されている。また、電力需要システム２００−１〜２００−３についても、通信ネットワーク４００と接続されており、電力需要システム２００−１〜２００−３は通信ネットワーク４００を介して管理サーバ１００へ少なくとも所定の信号を送信する。
【００１４】
管理サーバ１００は、本発明の管理サーバであって、電力供給システム全体を管理する。
【００１５】
図２は、図１に示した管理サーバ１００の内部構成の一例を示す図である。図１に示した管理サーバ１００は図２に示すように、データベース１１０と、検知部１２０と、検索部１３０と、通知部１４０とを有する。なお、図２には、図１に示した管理サーバ１００が有する構成要素のうち、本形態に関わる主要な構成要素のみを示した。
【００１６】
データベース１１０は、通信端末２１０−１〜２１０−３それぞれから送信されてきた複数の電力需要条件と、通信端末３１０−１〜３１０−３それぞれから送信されてきた複数の電力供給条件とを記憶する。なお、データベース１１０への電力需要条件および電力供給条件の登録は、通信端末２１０−１〜２１０−３，３１０−１〜３１０−３それぞれからの送信に限らず、管理サーバ１００を管理する管理者が、外部から取得した情報に基づいてデータベース１１０に登録するものであっても良く、その登録方法は限定しない。
【００１７】
図３は、図２に示したデータベース１１０が記憶している、複数の電力需要条件の一例を示す図である。図２に示したデータベース１１０には図３に示すように、識別情報と、電力需要条件とが対応付けられて記憶されている。電力需要条件は、必要電力量と存在位置とから構成されている。識別情報は、電力を受ける側の利用者である電力需要者にあらかじめ付与された固有の識別情報（第１の識別情報）である。識別情報は、例えば、通信端末２１０−１〜２１０−３それぞれの電話番号であっても良いし、電子メールアドレスや、固有のＩＤ（ＩＤｅｎｔｉｆｉｃａｔｉｏｎ）、電力需要者が本システムに契約した時に設定された識別情報であっても良い。必要電力量は、その電力需要者（図１に示した電力需要システム２００−１〜２００−３）が必要としている電力量を示す。存在位置は、電力需要システム２００−１〜２００−３が存在する位置を示す情報である。この存在位置は、地図上でその位置が識別できる情報であれば良く、例えば、図３に示すように緯度および経度を用いて示すものであっても良い。
【００１８】
例えば、図３に示すように、識別情報「Ｄ００１」と、必要電力量「○○ｋＷｈ」と、存在位置「北緯：・・・、東経：・・・」とが対応付けられて記憶されている。これは、識別情報「Ｄ００１」が付与された通信端末が管理する電力需要システムが、停電時に必要としている電力量が「○○ｋＷｈ」であり、その電力需要システムの存在位置の緯度経度が「北緯：・・・、東経：・・・」であることを示している。また、図３に示すように、識別情報「Ｄ００２」と、必要電力量「△△ｋＷｈ」と、存在位置「北緯：・・・、東経：・・・」とが対応付けられて記憶されている。これは、識別情報「Ｄ００２」が付与された通信端末が管理する電力需要システムが、停電時に必要としている電力量が「△△ｋＷｈ」であり、その電力需要システムの存在位置の緯度経度が「北緯：・・・、東経：・・・」であることを示している。なお、存在位置は、緯度経度を用いて示されるものに限らず、住所を用いて示されるものであっても良い。
【００１９】
図４は、図２に示したデータベース１１０が記憶している、複数の電力供給条件の一例を示す図である。図２に示したデータベース１１０には図４に示すように、識別情報と、電力供給条件とが対応付けられて記憶されている。電力供給条件は、供給可能電力量と存在位置とから構成されている。識別情報は、電力を供給する側の利用者である電力供給者にあらかじめ付与された固有の識別情報（第２の識別情報）である。識別情報は、例えば、通信端末３１０−１〜３１０−３それぞれの電話番号であっても良いし、電子メールアドレスや、固有のＩＤ、電力供給者が本システムに契約した時に設定された識別情報であっても良い。供給可能電力量は、その電力供給者（図１に示した電気自動車３００−１〜３００−３）が供給可能な電力量を示す。存在位置は、電力供給者、つまり電気自動車３００−１〜３００−３をそれぞれ管理する通信端末３１０−１〜３１０−３が存在する位置を示す情報である。この存在位置は、地図上でその位置が識別できる情報であれば良く、例えば、図４に示すように緯度および経度を用いて示すものであっても良い。なお、電力供給条件に、電力を供給できる時間帯や、期間等が含まれるものであっても良い。
【００２０】
例えば、図３に示すように、識別情報「Ｓ００１」と、供給可能電力量「○○ｋＷｈ」と、存在位置「北緯：・・・、東経：・・・」とが対応付けられて記憶されている。これは、識別情報「Ｓ００１」が付与された通信端末が管理する電気自動車が、供給可能な電力量が「○○ｋＷｈ」であり、その通信端末（電気自動車）の存在位置の緯度経度が「北緯：・・・、東経：・・・」であることを示している。また、図３に示すように、識別情報「Ｓ００２」と、供給可能電力量「△△ｋＷｈ」と、存在位置「北緯：・・・、東経：・・・」とが対応付けられて記憶されている。これは、識別情報「Ｓ００２」が付与された通信端末が管理する電気自動車が、供給可能な電力量が「△△ｋＷｈ」であり、その通信端末（電気自動車）の存在位置の緯度経度が「北緯：・・・、東経：・・・」であることを示している。
【００２１】
以下に、図３に示したような、図２に示したデータベース１１０が記憶している、複数の電力需要条件の登録方法について説明する。図５は、図１に示した通信端末２１０−１に表示された、電力需要条件の登録画面の一例を示す図である。図５に示すように、必要な電力量を登録するための必要電力量の入力欄と、存在位置を登録するための住所の入力欄が通信端末２１０−１に表示される。この画面に表示された入力欄に対して、電力を受ける利用者が所定の操作を行うことで、必要電力量と存在位置（住所）とが通信端末２１０−１に入力され、入力されたこれらの情報が通信端末２１０−１から管理サーバ１００へ送信され、データベース１１０に登録される。入力された情報が通信端末２１０−１から管理サーバ１００へ送信される際、電力需要システム２００−１の識別情報（例えば、図３に示した識別情報）も通信端末２１０−１から管理サーバ１００へ送信される。なお、識別情報として通信端末２１０−１の識別情報が登録されている場合は、通信端末２１０−１の識別情報が通信端末２１０−１から管理サーバ１００へ送信される。送信された住所は、管理サーバ１００にて緯度経度情報へ変換されてデータベース１１０に登録されるものであっても良い。
【００２２】
以下に、図４に示したような、図２に示したデータベース１１０が記憶している、複数の電力供給条件の登録方法について説明する。図６は、図１に示した通信端末３１０−１に表示された、電力供給条件の登録画面の一例を示す図である。図６に示すように、供給可能な電力量を登録するための供給可能電力量の入力欄が通信端末３１０−１に表示される。この画面に表示された入力欄に対して、電力を供給する利用者が所定の操作を行うことで、供給可能電力量が通信端末３１０−１に入力され、入力された情報が通信端末３１０−１から管理サーバ１００へ送信され、データベース１１０に登録される。入力された情報が通信端末３１０−１から管理サーバ１００へ送信される際、電気自動車３００−１の識別情報（例えば、図４に示した識別情報）も通信端末３１０−１から管理サーバ１００へ送信される。ここで、識別情報として通信端末３１０−１の識別情報が登録されている場合は、通信端末３１０−１の識別情報が通信端末３１０−１から管理サーバ１００へ送信される。なお、電気自動車３００−１〜３００−３と通信端末３１０−１〜３１０−３とがそれぞれ連携し、電気自動車３００−１〜３００−３が供給可能な電力量（電池の現在の残容量）を通信端末３１０−１〜３１０−３が随時取得し、取得した供給可能電力量が通信端末３１０−１〜３１０−３から管理サーバ１００へ送信されてデータベース１１０に登録されるものであっても良い。
【００２３】
検知部１２０は、通信端末２１０−１〜２１０−３それぞれが管理する電力需要システム２００−１〜２００−３それぞれの停電を検知する。検知部１２０は、電力需要システム２００−１〜２００−３それぞれから所定の信号を受信したか否かに基づいて、電力需要システム２００−１〜２００−３それぞれの停電を検知する。例えば、電力需要システム２００−１〜２００−３それぞれから周期的に変化する信号が送信されてきており、その変化が無くなった場合に、検知部１２０は、電力需要システム２００−１〜２００−３が停電したと判定するものであっても良い。
【００２４】
検索部１３０は、検知部１２０が電力需要システム２００−１〜２００−３のいずれかの停電を検知した場合、データベース１１０に記憶されている、停電が検知された電力需要システム２００−１〜２００−３に付与された識別情報と対応付けられた電力需要条件を満たす電力供給条件を、データベース１１０から検索して取得する。例えば、検索部１３０は、検知部１２０が電力需要システム２００−１の停電を検知した場合、データベース１１０に記憶されている、停電が検知された電力需要システム２００−１に付与された識別情報と対応付けられた電力需要条件を満たす電力供給条件を、データベース１１０から検索して取得する。このとき、検索部１３０は、データベース１１０に記憶された必要電力量と供給可能電力量とを比較し、電力需要システム２００−１〜２００−３の存在位置と電気自動車３００−１〜３００−３の存在位置とを比較し、比較の結果に基づいて、電力需要条件を満たす電力供給条件を取得する。
【００２５】
例えば、検索部１３０は、検知部１２０が停電を検知した電力需要システム２００−１〜２００−３の識別情報と対応付けられている必要電力量およびその電力需要システム２００−１〜２００−３の存在位置（第１の存在位置）をデータベース１１０から読み出す。検索部１３０は、読み出した必要電力量以上の供給可能電力量と対応付けられている電力供給側の識別情報をデータベース１１０から読み出す。そして、検索部１３０は、読み出した識別情報のうち、電気自動車３００−１〜３００−３の存在位置（第２の存在位置）が第１の存在位置から最も近い距離のものと対応付けられている識別情報をデータベース１１０から読み出す。このようにして、検索部１３０は、検知部１２０が停電を検知した電力需要システム２００−１〜２００−３の電力需要条件を満たす電力供給条件を取得する。なお、データベース１１０に、電気自動車３００−１〜３００−３が電力を供給できる時間帯や期間が記憶されている場合、検索部１３０は、これらを考慮して電気自動車３００−１〜３００−３の検索を行う。ここで、距離とは、単なる２点間の直線距離に限らず、電気自動車３００−１〜３００−３が２点間を移動する道のりも含まれる。距離が道のりである場合、データベース１１０に地図情報が格納されており、その地図情報に基づいて、２点間の道のりを検索部１３０が算出するものであっても良い。また、地図情報はデータベース１１０に記憶されているものに限らず、地図情報を配信するサイト等の他のシステムから検索部１３０が所定のタイミングで取得するものであっても良い。さらに、地図情報に加えて、道路状況も取得し、道路の通行規制情報や、一方通行、右折禁止、制限速度、道路事情（車線数や路面の状況等）、渋滞情報等を考慮して検索部１３０が検索（算出）を行うものであっても良い。また、距離的に近いものだけではなく、時間的に近い、つまり、２点間の移動で目的地（電力需要システム２００−１〜２００−３）に最も早く到着する時間となる電気自動車３００−１〜３００−３の識別情報を検索部１３０が検索するものであっても良い。
【００２６】
通知部１４０は、検索部１３０が取得した電力供給条件を送信してきた通信端末３１０−１〜３１０−３へ所定の通知を行う。通知部１４０は、停電が検知された電力需要システム２００−１〜２００−３へ電力を供給するための指示を、検索部１３０が取得した電力供給条件を送信してきた通信端末３１０−１〜３１０−３へ行う。
【００２７】
電力需要システム２００−１〜２００−３は、電力を需要する第１の電力使用システムである。電力需要システム２００−１〜２００−３は、例えば、病院や、体育館、宿泊施設、介護施設、学校、避難所、ショッピングモール、飲食店、地方自治体（自治会）所有の建物等の公共の施設であって、電力を使用するシステムが構築されたものである。
【００２８】
通信端末２１０−１〜２１０−３それぞれは、電力需要システム２００−１〜２００−３それぞれを管理する第１の通信端末である。通信端末２１０−１〜２１０−３それぞれは、電力需要条件を所定のタイミング（例えば、所定の周期）で管理サーバ１００へ送信する。通信端末２１０−１〜２１０−３は、スマートフォン等の携帯通信端末であっても良いし、ノートＰＣ（Ｐｅｒｓｏｎａｌ  Ｃｏｍｐｕｔｅｒ）等の移動可能なＰＣであっても良いし、電力需要システム２００−１〜２００−３やその他の場所にそれぞれ設置された通信可能なコンピュータであっても良い。通信端末２１０−１〜２１０−３は、上述した画面入力に基づいて、情報を管理サーバ１００へ送信する。また、通信端末２１０−１〜２１０−３は、管理サーバ１００から送信されてきた情報を表示する。
【００２９】
電気自動車３００−１〜３００−３は、原動機を電動機とする車両であって、電力を供給することが可能な第２の電力使用システムである。第２の電力使用システムは、移動可能な車両に搭載されている。電気自動車３００−１〜３００−３は、使用する原動機を電動機のみとする車両だけではなく、内燃機関と電動機とを原動機として用いるハイブリッド仕様の車両も含まれる。
【００３０】
通信端末３１０−１〜３１０−３それぞれは、電気自動車３００−１〜３００−３それぞれを管理する第２の通信端末である。通信端末３１０−１〜３１０−３それぞれは、電力供給条件を所定のタイミング（例えば、所定の周期）で管理サーバ１００へ送信する。通信端末３１０−１〜３１０−３それぞれは、電気自動車３００−１〜３００−３それぞれに搭載されたカーナビゲーション装置であっても良いし、電力供給者（電気自動車３００−１〜３００−３の運転手等）が所持するスマートフォン等の携帯通信端末であっても良いし、ノートＰＣ等の移動可能なＰＣであっても良い。通信端末３１０−１〜３１０−３は、ＧＰＳ（Ｇｌｏｂａｌ  Ｐｏｓｉｔｉｏｎｉｎｇ  Ｓｙｓｔｅｍ）機能等を用いて自身の存在位置を示す位置情報を取得し、取得した位置情報を管理サーバ１００へ送信する。また、通信端末３１０−１〜３１０−３は、上述した画面入力に基づいて、情報を管理サーバ１００へ送信する。また、通信端末３１０−１〜３１０−３は、管理サーバ１００から送信されてきた情報を表示する。また、通信端末３１０−１〜３１０−３は、それぞれが管理する電気自動車３００−１〜３００−３が供給可能な電力量（電池の現在の残容量）を電気自動車３００−１〜３００−３から随時取得するものであっても良い。この場合、通信端末３１０−１〜３１０−３は、取得した供給可能電力量を管理サーバ１００へ送信する。
【００３１】
以下に、図１に示した電力供給システムにおける電力供給方法について説明する。図７は、図１に示した電力供給システムにおける電力供給方法の一例を説明するためのフローチャートである。
【００３２】
まず、通信端末２１０−１〜２１０−３が外部から受け付けた操作に基づいて入力した電力需要条件を管理サーバ１００へ送信すると、管理サーバ１００のデータベース１１０は、通信端末２１０−１〜２１０−３から送信されてきた電力需要条件を記憶する（ステップＳ１）。また、通信端末３１０−１〜３１０−３が外部から受け付けた操作に基づいて入力した電力供給条件を管理サーバ１００へ送信すると、管理サーバ１００のデータベース１１０は、通信端末３１０−１〜３１０−３から送信されてきた電力供給条件を記憶する（ステップＳ２）。このステップＳ１の処理およびステップＳ２の処理は、所定のタイミングで随時行われる。また、ステップＳ１，Ｓ２の処理の順序については特に限定しない。
【００３３】
その後、電力需要システム２００−１〜２００−３から送信されてきている信号に基づいて、検知部１２０が電力需要システム２００−１〜２００−３の停電を検知すると（ステップＳ３）、検索部１３０は、停電を検知した電力需要システム２００−１〜２００−３の電力需要条件である必要電力量と存在位置とをデータベース１１０から読み出す。検索部１３０は、読み出した必要電力量を満たす供給可能電力量と対応付けられている識別情報をデータベース１１０から読み出す。そして、検索部１３０は、読み出した識別情報のうち、その識別情報と対応付けられた存在位置が、読み出した必要電力量と対応付けられた存在位置から最も近い距離にある識別情報をデータベース１１０から読み出す（ステップＳ４）。続いて、通知部１４０は、検索部１３０が読み出した識別情報が付与された通信端末３１０−１〜３１０−３へ、電力の供給場所が、検知部１２０が停電を検知した電力需要システム２００−１〜２００−３である旨を示す所定の通知を行う（ステップＳ５）。
【００３４】
すると、通知を受けた通信端末３１０−１〜３１０−３は、所定の表示を行う。図８は、通知を受けた通信端末３１０−１の画面表示の一例を示す図である。図８に示すように、通信端末３１０−１は、電力を供給するための表示として、電力の供給場所を表示する。図８に示した例では、電力を供給する場所を示す住所、施設名および地図が表示される。このような表示を行うことで、通信端末３１０−１を所持する電力供給者は、電力を供給する場所を認識することができる。
【００３５】
このように、本形態においては、管理サーバ１００が、あらかじめ登録された電力需要条件を満たす電力供給条件を有する電力供給システムを検索し、検索された電力供給システムがその電力需要システムへ電力を供給する通知を、電力供給システムを管理する通信端末に対して行う。そのため、電力の供給側と需要側とで適切な給電を行うことができる。なお、検索部１３０が電力需要条件に基づいて電力供給条件を検索する際、電気自動車が電力需要システムに電力を供給してから、元の場所に戻るまでに必要な電力量を考慮して検索を行うものであっても良い。
（第２の実施の形態）
【００３６】
図９は、本発明の電力供給システムの第２の実施の形態を示す図である。本形態における電力供給システムは図９に示すように、管理サーバ１０１と、電力需要システム２００−１〜２００−３と、通信端末２１０−１〜２１０−３，３１０−１〜３１０−３と、電気自動車３００−１〜３００−３と、発電システム５００−１〜５００−３とを有する。なお、図９には、電力需要システム２００−１〜２００−３、通信端末２１０−１〜２１０−３、電気自動車３００−１〜３００−３、通信端末３１０−１〜３１０−３および発電システム５００−１〜５００−３がそれぞれ３つである場合を例に挙げて示しているが、その数に限定しない。また、管理サーバ１０１と、通信端末２１０−１〜２１０−３，３１０−１〜３１０−３と、発電システム５００−１〜５００−３とが互いに通信可能に、通信ネットワーク４００を介して接続されている。また、電力需要システム２００−１〜２００−３についても、通信ネットワーク４００と接続されており、電力需要システム２００−１〜２００−３は通信ネットワーク４００を介して管理サーバ１０１へ少なくとも所定の信号を送信する。電力需要システム２００−１〜２００−３、通信端末２１０−１〜２１０−３、電気自動車３００−１〜３００−３、通信端末３１０−１〜３１０−３および通信ネットワーク４００は、第１の実施の形態におけるものと同じものである。
【００３７】
発電システム５００−１〜５００−３は、電力を生成するシステムである。発電システム５００−１〜５００−３は、例えば、太陽光発電や、風力発電、水力発電、原子力発電、地熱発電等の発電設備を有するシステムであって、自家発電用設備や、特定規模電気事業者等が所有するシステムであっても良い。発電システム５００−１〜５００−３は、生成した電力を電気自動車３００−１〜３００−３へ供給する充電スタンドを有し、電気自動車３００−１〜３００−３と充電スタンドとが互いに接続されることで、電気自動車３００−１〜３００−３へ電力を供給する（電気自動車３００−１〜３００−３を充電する）。なお、発電システム５００−１〜５００−３は、あらかじめ電力を蓄えている蓄電システムであっても良く、電力を電気自動車３００−１〜３００−３へ供給できるシステムであれば良い。
【００３８】
管理サーバ１０１は、本発明の管理サーバであって、電力供給システム全体を管理する。
【００３９】
図１０は、図９に示した管理サーバ１０１の内部構成の一例を示す図である。図９に示した管理サーバ１０１は図１０に示すように、データベース１１１と、検知部１２０と、検索部１３１と、通知部１４１とを有する。なお、図１０には、図９に示した管理サーバ１０１が有する構成要素のうち、本形態に関わる主要な構成要素のみを示した。検知部１２０は、第１の実施の形態におけるものと同じものである。
【００４０】
データベース１１１は、通信端末２１０−１〜２１０−３それぞれから送信されてきた複数の電力需要条件と、通信端末３１０−１〜３１０−３それぞれから送信されてきた複数の電力供給条件とを記憶する。電力需要条件および電力供給条件は、第１の実施の形態におけるものと同じである。さらに、データベース１１１は、発電システム５００−１〜５００−３の存在位置（第３の存在位置）を記憶する。なお、データベース１１１への電力需要条件および電力供給条件の登録方法は、第１の実施の形態と同じである。また、データベース１１１への発電システム５００−１〜５００−３の存在位置の登録方法は、発電システム５００−１〜５００−３から送信されてきた情報に基づくものであっても良いし、管理サーバ１０１を管理する管理者が、外部から取得した情報に基づいてデータベース１１０に登録するものであっても良く、その登録方法は限定しない。
【００４１】
図１１は、図１０に示したデータベース１１１が記憶している、発電システム５００−１〜５００−３の存在位置の一例を示す図である。図１０に示したデータベース１１１には図１１に示すように、識別情報と、存在位置とが対応付けられて記憶されている。識別情報は、発電システム５００−１〜５００−３にあらかじめ付与された固有の識別情報である。識別情報は、例えば、発電システム５００−１〜５００−３それぞれの電話番号であっても良いし、電子メールアドレスや、固有のＩＤ、発電システム５００−１〜５００−３が本システムに契約した時に設定された識別情報であっても良い。存在位置は、発電システム５００−１〜５００−３が存在する（設置されている）位置を示す情報である。この存在位置は、地図上でその位置が識別できる情報であれば良く、例えば、図１１に示すように緯度および経度を用いて示すものであっても良い。なお、発電システム５００−１〜５００−３の存在位置と、発電システム５００−１〜５００−３が生成した電力を電気自動車３００−１〜３００−３へ供給する充電スタンドの存在位置とが異なる場合、データベース１１１に記憶される存在位置は、充電スタンドの存在位置とするものが好ましい。
【００４２】
例えば、図１１に示すように、識別情報「Ｇ００１」と、存在位置「北緯：・・・、東経：・・・」とが対応付けられて記憶されている。これは、識別情報「Ｇ００１」が付与された電力需要システムの存在位置の緯度経度が「北緯：・・・、東経：・・・」であることを示している。また、図１１に示すように、識別情報「Ｇ００２」と、存在位置「北緯：・・・、東経：・・・」とが対応付けられて記憶されている。これは、識別情報「Ｇ００２」が付与された電力需要システムの存在位置の緯度経度が「北緯：・・・、東経：・・・」であることを示している。なお、存在位置は、緯度経度を用いて示されるものに限らず、住所を用いて示されるものであっても良い。
【００４３】
また、データベース１１１は、発電システム５００−１〜５００−３の識別情報と存在位置とに加えて、発電システム５００−１〜５００−３が供給可能な電力量についても、識別情報と存在位置と対応付けて記憶するものであっても良い。
【００４４】
検索部１３１は、検知部１２０が電力需要システム２００−１〜２００−３のいずれかの停電を検知した場合、データベース１１１に記憶されている、停電が検知された電力需要システム２００−１〜２００−３の識別情報と対応付けられている電力需要システム２００−１〜２００−３の存在位置を、データベース１１１から検索して取得する。例えば、検索部１３１は、検知部１２０が電力需要システム２００−１の停電を検知した場合、データベース１１１に記憶されている、停電が検知された電力需要システム２００−１の識別情報と対応付けられている電力需要システム２００−１の存在位置を読み出す。検索部１３１は、データベース１１１に記憶されている電気自動車３００−１〜３００−３のうち、その電気自動車３００−１〜３００−３を管理する通信端末３１０−１〜３１０−３の存在位置が、読み出した電力需要システム２００−１の存在位置に最も近い距離のもの（例えば、電気自動車３００−１）の識別情報をデータベース１１１から検索して読み出す。さらに、検索部１３１は、データベース１１１に記憶されている発電システム５００−１〜５００−３のうち、その存在位置が、読み出した電気自動車３００−１の存在位置に最も近い距離のもの（例えば、発電システム５００−１）をデータベース１１１から検索して読み出す。そして、検索部１３１は、電気自動車３００−１が、電力需要システム２００−１の識別情報と対応付けられた必要電力量を満たすために行う充電の電力量を、電力需要システム２００−１の識別情報と対応付けられた必要電力量と電気自動車３００−１の供給可能電力量とに基づいて算出する。このとき、検索部１３１は、電気自動車３００−１が発電システム５００−１にて充電を行うための移動に要する電力量と、電気自動車３００−１が電力需要システム２００−１にて電力を供給するための移動に要する電力量とを考慮して、充電の電力量を算出する。
【００４５】
なお、発電システム５００−１〜５００−３が供給可能な電力量が制限されていて、データベース１１１にその電力量が記憶されている場合は、検索部１３１は、電力の供給先である電力需要システム２００−１〜２００−３の必要電力量と、発電システム５００−１〜５００−３の供給可能な電力量とに基づいて、発電システム５００−１〜５００−３を検索するものであっても良い。
【００４６】
通知部１４１は、検索部１３１が検索した識別情報が付与された電気自動車３００−１〜３００−３を管理する通信端末３１０−１〜３１０−３へ所定の通知を行う。通知部１４１は、検索部１３１が検索した発電システム５００−１〜５００−３における充電と、停電が検知された電力需要システム２００−１〜２００−３へ電力の供給を行うための指示を、検索部１３１が検索した識別情報が付与された電気自動車３００−１〜３００−３を管理する通信端末３１０−１〜３１０−３へ行う。このとき、通知部１４１は、検索部１３１が検索した発電システム５００−１〜５００−３の存在位置についても通知する。通知部１４１がこのような通知を行うことで、通知が行われた通信端末３１０−１〜３１０−３は、どこで充電を行って、どこに電力の供給に行けば良いかを認識することができる。また、通知部１４１が、必要となる充電量についても通知を行えば、通信端末３１０−１〜３１０−３が発電システム５００−１〜５００−３において、どの程度充電を行えば良いかを認識することができる。
【００４７】
通知部１４１から通知が行われた通信端末３１０−１〜３１０−３では、図８に示したような画面が表示されるとともに、充電を行う発電システム（充電スタンド）の位置や地図が表示される。これにより、最寄りの充電スタンドへの誘導を行うことができる。
【００４８】
以下に、図９に示した電力供給システムにおける電力供給方法について説明する。図１２は、図９に示した電力供給システムにおける電力供給方法の一例を説明するためのフローチャートである。
【００４９】
まず、発電システム５００−１〜５００−３から、発電システム５００−１〜５００−３にあらかじめ付与された識別情報とその存在位置とが送信されてくると、管理サーバ１００のデータベース１１０は、発電システム５００−１〜５００−３から送信されてきた識別情報と存在位置とを対応付けて記憶する（ステップＳ１１）。また、通信端末２１０−１〜２１０−３が外部から受け付けた操作に基づいて入力した電力需要条件を管理サーバ１０１へ送信すると、管理サーバ１０１のデータベース１１１は、通信端末２１０−１〜２１０−３から送信されてきた電力需要条件を記憶する（ステップＳ１２）。また、通信端末３１０−１〜３１０−３が外部から受け付けた操作に基づいて入力した電力供給条件を管理サーバ１０１へ送信すると、管理サーバ１０１のデータベース１１１は、通信端末３１０−１〜３１０−３から送信されてきた電力供給条件を記憶する（ステップＳ１３）。このステップＳ１２の処理およびステップＳ１３の処理は、所定のタイミングで随時行われる。また、ステップＳ１１〜Ｓ１３の処理の順序については特に限定しない。
【００５０】
その後、電力需要システム２００−１〜２００−３から送信されてきている信号に基づいて、検知部１２０が電力需要システム２００−１〜２００−３の停電を検知すると（ステップＳ１４）、検索部１３１は、停電が検知された電力需要システム２００−１〜２００−３の識別情報と対応付けられている電力需要システム２００−１〜２００−３の存在位置を、データベース１１１から検索して読み出す。続いて、検索部１３１は、データベース１１１に記憶されている電気自動車３００−１〜３００−３のうち、その電気自動車３００−１〜３００−３を管理する通信端末３１０−１〜３１０−３の存在位置が、読み出した電力需要システム２００−１〜２００−３の存在位置に最も近い距離のものをデータベース１１１から検索して読み出す（ステップＳ１５）。さらに、検索部１３１は、データベース１１１に記憶されている発電システム５００−１〜５００−３のうち、その存在位置が、読み出した電気自動車３００−１〜３００−３の存在位置に最も近い距離のものをデータベース１１１から検索して読み出す（ステップＳ１６）。そして、検索部１３１は、電気自動車３００−１〜３００−３が、電力需要システム２００−１〜２００−３の識別情報と対応付けられた必要電力量を満たすために行う充電の電力量を、電力需要システム２００−１〜２００−３の識別情報と対応付けられた必要電力量と電気自動車３００−１〜３００−３の供給可能電力量とに基づいて算出する（ステップＳ１７）。続いて、通知部１４１は、検索部１３１が検索した識別情報が付与された電気自動車３００−１〜３００−３を管理する通信端末３１０−１〜３１０−３へ、電力の供給場所、その供給のための発電システムの場所および発電システムで充電する電力量を示す所定の通知を行う（ステップＳ１８）。
【００５１】
すると、通知を受けた通信端末３１０−１〜３１０−３は、所定の表示を行う。通知を受けた通信端末３１０−１〜３１０−３は、電力を供給するための表示として、電力の供給場所、その供給のための発電システムの場所および発電システムで充電する電力量を表示する。電力を供給する場所や発電システムの場所の表示は、図８に示すものと同様の表示で良い。このような表示を行うことで、通信端末３１０−１〜３１０−３を所持する電力供給者は、電力を供給する場所、電力を充電する発電システムの場所および充電する電力量を認識することができる。
【００５２】
このように、本形態においては、管理サーバ１０１が、停電が検知された電力需要システムに近い距離に存在する電力供給システムを検索し、検索した電力供給システムに近い距離に存在する発電システムを検索する。そして、管理サーバ１０１が、検索された電力供給システムがその発電システムで充電し、その電力需要システムへ電力を供給する通知を、電力供給システムを管理する通信端末に対して行う。そのため、電力の供給側と需要側とで適切な給電を行うことができる。
【００５３】
なお、本形態においては、管理サーバが、電力供給が必要な電力需要システムに近い距離に存在する電気自動車を検索し、検索された電気自動車に近い距離に存在する発電システムを検索し、検索された電気自動車が検索された発電システムにて充電を行ってから電力需要システムへ電力を供給する形態を説明した。これに限らず、充電しなければならない電力量が少ない電気自動車を検索し、検索された電気自動車が発電システムにて充電を行ってから電力需要システムへ電力を供給するものであっても良い。
【００５４】
また、停電等の何らかの原因により管理サーバや通信ネットワークが商用電源の供給を受けられない場合は、一般的に行われているような運用側が所有するバックアップ電源を用いて管理サーバや通信ネットワークを動作させるもので良い。
【００５５】
以上、各構成要素に各機能（処理）それぞれを分担させて説明したが、この割り当ては上述したものに限定しない。また、構成要素の構成についても、上述した形態はあくまでも例であって、これに限定しない。
【００５６】
上述した各構成要素が行う処理は、目的に応じてそれぞれ作製された論理回路で行うようにしても良い。また、処理内容を手順として記述したコンピュータプログラム（以下、プログラムと称する）を各構成要素を具備した装置（例えば、管理サーバ１００，１０１。以下、情報処理装置と称する）にて読取可能な記録媒体に記録し、この記録媒体に記録されたプログラムを情報処理装置に読み込ませ、実行するものであっても良い。情報処理装置にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃ、ＵＳＢ（Ｕｎｉｖｅｒｓａｌ  Ｓｅｒｉａｌ  Ｂｕｓ）メモリなどの移設可能な記録媒体の他、情報処理装置に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、情報処理装置に設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００５７】
１００，１０１    管理サーバ
１１０，１１１    データベース
１２０    検知部
１３０，１３１    検索部
１４０，１４１    通知部
２００−１〜２００−３    電力需要システム
２１０−１〜２１０−３，３１０−１〜３１０−３    通信端末
３００−１〜３００−３    電気自動車
４００    通信ネットワーク
５００−１〜５００−３    発電システム
【図１】
2020161030.tif 000003
【図２】
2020161030.tif 000004
【図３】
2020161030.tif 000005
【図４】
2020161030.tif 000006
【図５】
2020161030.tif 000007
【図６】
2020161030.tif 000008
【図７】
2020161030.tif 000009
【図８】
2020161030.tif 000010
【図９】
2020161030.tif 000011
【図１０】
2020161030.tif 000012
【図１１】
2020161030.tif 000013
【図１２】
2020161030.tif 000014